(57)【要約】      （修正有）【課題】  給水タンクの装着が容易に行えると共に少ない部品点数で複数のペットボトルを給水タンクとして利用することができる加湿器を提供する。【解決手段】給水タンク３５の口部に装着部材4のタンク取付部を螺合させて着脱可能に取り付け、この装着部材４を加湿器本体２のタンク装着部に載置して給水タンクを加湿器本体２に立設した状態で装着する。タンク取付部が、ペットボトル等の飲料水用容器の口部に螺合してこの飲料水用容器を給水タンク３５として利用し得る形状で形成され、装着部材４が、当該装着部材４をタンク装着部に載置して給水タンクを加湿器本体２に装着したときにこの給水タンクが倒れ難い重量で形成されている構成であることにより、前記課題を解決した。【選択図】図５
0003119541.tif 000002
【実用新案登録請求の範囲】
【請求項１】
給水タンクの口部に装着部材のタンク取付部を螺合させて着脱可能に取り付け、この装着部材を加湿器本体のタンク装着部に載置して前記給水タンクを前記加湿器本体に立設した状態で装着する加湿器であって、
前記タンク取付部が、ペットボトル等の飲料水用容器の口部に螺合してこの飲料水用容器を前記給水タンクとして利用し得る形状で形成され、前記装着部材が、当該装着部材を前記タンク装着部に載置して前記給水タンクを前記加湿器本体に装着したときにこの給水タンクが倒れ難い重量で形成されていることを特徴とする加湿器。
【請求項２】
前記装着部材が、２個以上備えられ、これら装着部材は、前記飲料水用容器の口部が螺合する前記タンク取付部の大きさがそれぞれ異なって前記給水タンクとして利用される飲料水用容器に応じて選択されることを特徴とする請求項１に記載の加湿器。
【請求項３】
前記装着部材に、前記加湿器本体に装着した前記給水タンクを倒れ難くする重りが設けられていることを特徴とする請求項１又は請求項２に記載の加湿器。
【請求項４】
前記装着部材が、円板状に形成され、この装着部材の同軸上に前記タンク取付部が設けられ、このタンク取付部内に、その同軸上に前記給水タンク内の水を前記加湿器本体に導く筒状の水供給路が設けられ、この水供給路内に、この水供給路の開口部を開閉する弁体を移動可能に設け、この弁体を前記水供給路の開口部を閉塞する方向に付勢してこの水供給路の開口部を閉塞させる付勢手段を設け、
前記タンク装着部に、前記装着部材を載置したとき、前記弁体を前記付勢手段の付勢力に抗して移動させて前記液供給路の開口部を開放させる弁体駆動部材を設けたことを特徴とする請求項１乃至請求項３のいずれか１項に記載の加湿器。
【請求項５】
前記装着部材が、円板状に形成され、この装着部材の前記給水タンクが取り付けられる装着面とは反対方向の載置面に、その同軸上に突出すると共に内面に前記タンク取付部が設けられた円筒状の第１嵌合Ａ部を設け、この装着部材の載置面側の円周端部を同軸上に突出させて円筒状の第１嵌合Ｂ部として形成し、
前記タンク装着部に、前記第１嵌合Ａ部に嵌合すると共に内部に前記弁体駆動部が立設されている第２嵌合Ａ部を設けると共に、前記第１嵌合Ｂ部に嵌合する第２嵌合Ｂ部を設けたことを特徴とする請求項４に記載の加湿器。
【請求項６】
前記装着部材が、円板状に形成され、この装着部材の前記給水タンクが取り付けられる装着面とは反対方向の載置面に、その同軸上に突出する円筒状の第１嵌合Ａ部を設け、この装着部材の載置面側の円周端部を同軸上に突出させて円筒状の第１嵌合Ｂ部として形成し、
前記タンク装着部に、前記第１嵌合Ａ部に嵌合する第２嵌合Ａ部を設けると共に、前記第１嵌合Ｂ部に嵌合する第２嵌合Ｂ部を設けたことを特徴とする請求項１乃至請求項４のいずれか１項に記載の加湿器。
【請求項７】
前記加湿器本体に、前記給水タンクからの水を蒸発させた蒸気によって芳香を前記加湿器本体外に放つ芳香剤を収容する芳香剤収容部を設けたことを特徴とする請求項１乃至請求項６のいずれか１項に記載の加湿器。
【請求項８】
前記加湿器本体に、鏡を設けたことを特徴とする請求項１乃至請求項７のいずれか１項に記載の加湿器。
【考案の詳細な説明】
【技術分野】
【０００１】
本考案は、給水タンクとしてペットボトルを利用することができる加湿器に関する。
【背景技術】
【０００２】
加湿器は、給水タンクからの水をヒータにより加熱して蒸発させ、蒸気を加湿器本体外に噴出させて室内の空気を加湿するものである。この加湿器は、給水タンク内の水がなくなると、給水タンクを加湿器本体から取り外して給水タンク内に水を入れてから、この給水タンクを加湿器本体に取り付けることにより、部屋の加湿を行えるようになる。
【０００３】
ところで、給水タンクは、通常、加湿器に付属しているが、付属の給水タンクは１種類だけで、給水タンクが小さいと、頻繁に給水タンクへの水の補給をしなければならない。また、給水タンクが大きいと、給水後の給水タンクは重く運搬に大きな労力が必要となると共に、加湿器本体に給水タンクを取り付けるのにも大きな労力が必要となり、子供やお年寄り等には簡単に行えない作業である。また、付属の給水タンクが壊れたりした場合には、給水タンクのみを新たに買わないと加湿を行えず不便である。このため、市販されているペットボトルを給水タンクとして利用することができる加湿器が提案されている（例えば、特許文献１参照）。
【０００４】
この加湿器では、ペットボトルの口部にペットボトルと加湿器本体とを接続するための接続用キャップを装着し、このペットボトルを挿入装着部に挿入装着することで、ペットボトルを給水用タンクとして利用することができる。挿入装着部には、ペットボトルの装着をガイドするためのホルダー体が着脱自在に設けられている。ホルダー体は、異なる形状、大きさの種々のペットボトルのそれぞれに略合致する複数種のものがある。これら複数種のホルダー体の中から給水タンクとして利用されるペットボトルの形状，大きさに略合致するものを選択し、この選択したホルダー体を加湿器本体の挿入装着部に設ける。
【０００５】
これにより、ホルダー体がペットボトルの挿入装着部への装着をガイドするためにペットボトルの装着を容易に行えると共に、ホルダー体がペットボトルを立てた状態に支持するためにペットボトルが倒れることなく加湿器本体に装着されることとなる。すなわち、市販のペットボトルはその大きさや形状が１種類ではなく、様々な種類のものがあるので、給水タンクとして利用するペットボトルに適した複数の接続用キャップと複数のホルダー体を用意しておけば、複数の種類のペットボトルを給水用タンクとして利用することができる。このように、給水タンクとして利用できるペットボトルは１種類に限定されることはなく容量及び形状が異なる２種類以上のペットボトルを利用することができるので、利用者や利用条件に応じて給水タンクの種類を選ぶことができ、便利である。
【特許文献１】実用新案登録第３０９３０８２号公報図面
【考案の開示】
【考案が解決しようとする課題】
【０００６】
しかし、ペットボトルを給水用タンクとして利用するには、ペットボトルの口部に、この口部に合った接続用キャップを選択して装着すると共に、このペットボトルの形状及び大きさに合ったホルダー体を選択して固定手段によって加湿器本体に装着しなければならず、給水タンクを装着するのには手間がかかる。ペットボトルの口部の大きさは２種類程度で数が少ないが、ペットボトルのボディの形状や大きさは種類が多く、多くの種類のホルダー体が必要になり、部品点数が増えて不便であると共に、多くの種類のホルダー体を保管するスペースが必要となってしまう。
【０００７】
本考案は、前記課題を解決するためになされたものであって、その目的は、給水タンクの装着が容易に行えると共に少ない部品点数で複数のペットボトルを給水タンクとして利用することができる加湿器を提供することにある。
【課題を解決するための手段】
【０００８】
前記の課題を達成するための本考案に係る加湿器は、給水タンクの口部に装着部材のタンク取付部を螺合させて着脱可能に取り付け、この装着部材を加湿器本体のタンク装着部に載置して前記給水タンクを前記加湿器本体に立設した状態で装着する加湿器であって、前記タンク取付部が、ペットボトル等の飲料水用容器の口部に螺合してこの飲料水用容器を前記給水タンクとして利用し得る形状で形成され、前記装着部材が、当該装着部材を前記タンク装着部に載置して前記給水タンクを前記加湿器本体に装着したときにこの給水タンクが倒れ難い重量で形成されていることを特徴とする。
【０００９】
この考案によれば、装着部材のタンク取付部が、ペットボトル等の飲料水用容器の口部に螺合してこの飲料水用容器を給水タンクとして利用し得る形状で形成されているので、ペットボトル等の飲料水用容器をタンク取付部に取り付けることができる。このペットボトル等の飲料水用容器を取り付けた装着部材が、当該装着部材をタンク装着部に載置して給水タンクを加湿器本体に装着したときにこの給水タンクが倒れ難い重量で形成されているので、装着部材をタンク装着部に載置するだけで給水タンクを倒れることなく装着することができる。その結果、給水タンクの装着が容易に行えると共に少ない部品点数で複数のペットボトルを給水タンクとして利用することができる。
【考案の効果】
【００１０】
以上説明したように本考案に係る加湿器によれば、タンク取付部が、ペットボトル等の飲料水用容器の口部に螺合してこの飲料水用容器を給水タンクとして利用し得る形状で形成され、装着部材が、当該装着部材をタンク装着部に載置して給水タンクを加湿器本体に装着したときにこの給水タンクが倒れ難い重量で形成されているので、給水タンクの装着が容易に行えると共に少ない部品点数で複数のペットボトルを給水タンクとして利用することができる。
【考案を実施するための最良の形態】
【００１１】
以下、本考案に係る加湿器の一例を添付図面に基づいて詳述する。
【００１２】
図１、図２及び図４〜図６は本考案に係る加湿器の一例を示す図である。図３は本考案に係る装着部材の一例を示す図である。
本考案に係る加湿器は、図１、図２及び図４〜図６に示すように、給水タンク３の口部に装着部材４のタンク取付部４１を螺合させて着脱可能に取り付け、この装着部材４を加湿器本体２のタンク装着部２３に載置して給水タンク３を加湿器本体２に立設した状態で装着するものである。
【００１３】
加湿器本体２は、合成樹脂等により形成され、例えば、給水タンク３が着脱可能に装着される給水部２１と、給水部２１からの水を蒸発させて蒸気として加湿器本体２外に噴出させる蒸気部２２とからなる。この加湿器本体２は、蒸気部２２の背面の略中央部から下方までの箇所に給水部２１が一体的に設けられた側面視略Ｌ字状に形成されている。蒸気部の後方側の壁面には、通電スイッチ１７が設けられている。
【００１４】
蒸気部２２は、例えば、給水部２１からの水が流入する加熱槽（図示せず）と、この加熱槽の周囲に設けられ、加熱槽内の水を加熱して蒸発させる加熱源である例えば電気ヒータ（図示せず）と、この電気ヒータの加熱により発生した蒸気を加湿器本体２の上方に導く蒸気流路（図示せず）と、この蒸気流路からの蒸気を加湿器本体２外に噴出させる左右方向に延びる噴出口２９とからなる。蒸気部２２の前面、すなわち加湿器本体２の前面の下方よりには、電源スイッチ１８が設けられており、この電源スイッチ１８をオンすることにより電気ヒータが駆動されるようになっている。この電源スイッチ１８は給水タンク３内の水がなくなったときはセンサーによってヒータ電源はオフとなるものである。給水タンク３内に水を補給したときはこの電源スイッチ１８をオンにしてヒータに通電を開始することになる。
【００１５】
給水部２１は、凹状に形成されており、給水タンク３からの水を所定量貯留する水貯留槽２４として形成されている。この給水部２１の上部がタンク装着部２３として形成されている。このタンク装着部２３に装着部材４を介して給水タンク３が立設した状態で装着され、給水タンク３の水が給水部２１の水貯留槽２４内に流入するようになっている。
【００１６】
給水部２１と蒸気部２２とを仕切る仕切壁（図示せず）には、水貯留槽２４内に所定量の水が貯まると加熱槽に水を溢流させる連通孔（図示せず）が設けられている。この連通孔の位置は、給水部２１に装着された給水タンク３の口部より高さ方向の下方に位置するようにする。すなわち、水貯留槽２４と加熱槽とが同じ水位すなわち給水タンク３の口部の先端部と略同じ水位になるように水貯留槽２４と加熱槽とが連通孔で連通されている。このため、加熱槽内の水が蒸発してもこの蒸発量と略同じ量の水が水貯留槽２４から連通孔を介して加熱槽内に流入するので、加熱槽内には略一定量の水が貯留されるようになっている。なお、加熱槽の水位は、加熱源である例えば電気ヒータの加熱力により任意に決められるものである。
【００１７】
タンク装着部２３は、装着部材４を載置させるためのものであり、特に限定されず、図２に示すように、例えば、第２嵌合Ａ部２５と第２嵌合Ｂ部２６と弁体駆動部２７とからなることが好ましい。第２嵌合Ｂ部２６は、給水部２１の上方に略円筒状に突出して形成されている。この第２嵌合Ｂ部２６は、タンク装着部２３の外形を形成するものである。第２嵌合Ｂ部２６の先端部は、外周端部がその周方向全体が段状に窪んで当接部２６ａとして形成されている。第２嵌合Ｂ部２６の径は、装着部材４の径と略同じ寸法で形成されていることが好ましい。第２嵌合Ａ部２５は、第２嵌合Ｂ部２６内に同軸上に設けられた周面の一部を軸方向に切り欠いた略円筒状に形成されている。弁体駆動部は、第２嵌合Ａ部２５内に同軸上に延びる棒状に形成されている。
【００１８】
装着部材４は、給水タンク３の口部に取り付けられ、給水タンク３をタンク装着部２３に載置して加熱器本体２に装着するためのものである。装着部材４は、例えば、円板状に形成されている。装着部材４の径は、給水タンク３として用いられるペットボトルの最大幅（例えば円形のボディのペットボトルの場合は直径）と略同じ寸法で形成されていることが好ましい。
【００１９】
図３に示すように装着部材４の周縁部は、それぞれ同軸上であって円筒状に延び、タンク装着部２３に載置される面（載置面ということがある。）が第１嵌合Ｂ部４６として形成されている。この第１嵌合Ｂ部４６は、装着部材４をタンク装着部２３に載置した時（装着部材４装着時ということがある。）、内部にタンク装着部２３の第２嵌合Ｂ部２６の先端部が挿入されて嵌合される寸法の径で形成されていることが好ましい。第１嵌合Ｂ部４６の先端部には、第１嵌合Ｂ部４６内に第２嵌合Ｂ部２６の先端部が挿入されて嵌合されたとき、当接部２６ａに当接する当接片４６ａがその周方向に間隔をあけて複数設けられている。
【００２０】
装着部材４の載置面の略中央部には、載置面から同軸上に延びる円筒状の第１嵌合Ａ部４５が設けられている。この第１嵌合Ａ部４５の外径は、第２嵌合Ａ部２５の内径より小さい、例えば若干小さな寸法で形成されていることが好ましい。これにより、装着部材４装着時、第１嵌合Ａ部４５がタンク装着部２３の第２嵌合Ａ部２５内に挿入されて嵌合されるようになっている。この第１嵌合Ａ部４５内の略中央部には、第１嵌合Ａ部４５内を閉塞するような径方向内方に延びる円板状の仕切部４２が設けられている。この仕切部４２の略中央部には、第１嵌合Ａ部４５の先端部とは反対方向に同軸上に延びる円筒状の水供給路４３が設けられている。この水供給路４３と第１嵌合Ａ部４５とが２重管構造に形成され、かつ、装着部材４の載置面と他方の面（タンク装着面ということがある。）とは、水供給路４３を介してのみ連通される。水供給路４３の長さは、先端部がタンク装着面より離間した位置になる寸法で形成されており、この先端部の開口部が給水口４４として形成されている。
【００２１】
水供給路４３内には、弁棒支持部５４が設けられている。この弁棒支持部５４によって弁棒５１が水供給路４３内を同軸上に移動可能に支持されている。弁棒の一端部は、給水口４４より突出し、この一端部に給水口４４の開閉を行う略円板状の弁体５２が設けられている。弁棒５１の他端部は、径方向外方に延びてフランジ部５５として形成されている。このフランジ部５５と弁棒支持部５４との間であって弁棒５１の外周には、付勢手段であるコンプレッションスプリング５３が設けられている。すなわち、コンプレッションスプリング５３は、一端部が弁棒支持部５４に当接していると共に、他端部がフランジ部５５に当接して弁棒５１を第１嵌合Ａ部４５の先端部から突出する方向に付勢するものである。このコンプレッションスプリング５３によって給水口４４が弁体５２で閉塞されるように弁棒５１が付勢されている。弁棒５１の長さは、装着部材４装着時、弁体駆動部２７の先端部がフランジ部５５と接触して弁棒５１をコンプレッションスプリング５３の付勢力に抗して第１嵌合Ａ部４５の先端部から基端部方向へ移動し得る寸法で形成されていることが好ましい。これにより、装着部材４装着時、弁体駆動部２７によって弁棒５１が作動（移動）して弁体５２が給水口４４から離れて給水口４４が開放されるようになっている。
【００２２】
第１嵌合Ａ部４５の仕切部４２から基端部までが給水タンク３の口部に取り付けられるタンク取付部４１として形成されている。このタンク取付部４１の内面には、給水タンク３の口部が螺合するネジ溝が設けられた螺合部４１ａが設けられている。この螺合部４１ａは、ペットボトル等の飲料水用容器の口部が螺合し得る大きさ及び形状に形成されている。これにより、ペットボトル等の飲料水用容器の口部に螺合部４１ａを螺合させて装着部材４を取り付け、この装着部材４を加湿器本体２のタンク装着部に載置することにより、ペットボトル等の飲料水用容器が立設した状態で加湿器本体２に装着されることになる。
【００２３】
装着部材４の材質は、特に限定されないが、例えば、硬質合成ゴム等であることが好ましい。この装着部材４は、当該装着部材４をタンク装着部２３に載置して給水タンク３を加湿器本体２に装着したときにこの給水タンク３が倒れ難い重量で形成されるようにする。装着部材４を給水タンク３が倒れ難い重量で形成する手段としては、特に限定されないが、装着部材４の厚みを厚くしてもよいし、図示するように、装着部材４の円形の板状の円板部４ａ内に鉄板等の金属板の重り８を設けるようにしてもよい。この重り８としては、例えば、円板部４ａ内の略全域に設けられる板状の重りであることが好ましい。これにより、装着部材４の略全域の重量を略均等に重くなるので、安定して給水タンク３を立設状態に支持することができる。なお、図３中、符号４ｂは給水タンク３の肩部が当接するリング状のタンク支持部を示している。
【００２４】
この装着部材４は、２個以上備えていることが好ましい。これら装着部材４は、タンク取付部４１の螺合部４１ａの径が異なるものである。すなわち、飲料水用容器、例えば、市販されているペットボトル３５、３６の口部の径は１種類ではなく２種類以上あるので、市販されているペットボトル３５、３６の口部の径の数だけ装着部材４が備えられていることが好ましい。なお、市販されているペットボトル３５、３６の口部の種類に応じた数だけ装着部材４が備えられていることが最も好ましいが、市販されているペットボトル３５、３６のなかで汎用されているペットボトル３５、３６の口部の径の数だけ装着部材４が備えられていてもよい。すなわち、汎用されているペットボトル３５、３６の口部が例えば２種類であればこの２種類にあった径のタンク取付部４１の螺合部４１ａを有する装着部材４を２個備えればよい。
【００２５】
給水タンク３は、特に限定されず、装着部材４の径と略同じ径であって側面視略矩形状のボディを有するもの等が好ましい。この給水タンク３の口部は、装着部材４のタンク取付部４１の螺合部４１ａに螺合されて密閉状態で装着部材４が装着される形状及び大きさに形成されている。
【００２６】
また、加湿器本体２の前面の上方には、図１に示すように、鏡１１が設けられていることが好ましい。このように、加湿器本体２の前面に鏡１１が設けられていることにより、鏡を持っていないときや鏡が出し難いところにある場合には、鏡を利用することができる。
【００２７】
また、加湿器本体２の蒸気部２２の噴出口２９の一方の側部には、図４に示すように、蒸気によって芳香を加湿器本体２外に放つ芳香剤（図示せず）を収容する芳香剤収容部１３が設けられていることが好ましい。芳香剤収容部１３は、凹状に形成され、内部に芳香剤が取替え可能に収容される。芳香剤は、特に限定されず、例えば、ハーブの香りがする芳香剤等が好ましい。芳香剤収容部１３の上部の開口部には、芳香噴出口１６を有する蓋体１５が着脱可能に設けられている。また、芳香剤収容部１３には、蒸気流路に連通されている連通孔１４が設けられており、蒸気流路を通る蒸気の一部が連通孔１４を介して芳香剤収容部１３に流入してこの蒸気によって芳香剤による芳香が芳香剤噴出口１６から加湿器本体２外に放出されるようになっている。
【００２８】
次に本発明に係る加湿器１の作用を説明する。
【００２９】
給水タンク３内に水を入れてからこの給水タンク３の口部に装着部材４のタンク取付部４１の螺合部４１ａを螺合させて給水タンク３に装着部材４を取り付ける。この取り付けは、給水タンク３の口部が上方に向いた状態で装着部材４を上下逆に行うので、給水タンク３から水がこぼれることがない。また、装着部材４を取り付けた給水タンク３は、装着部材４の水供給路４３の給水口４４が弁体５２によって閉塞されているので、水を入れた給水タンク３を加湿器本体２の近傍に搬送する前に装着部材４をこの給水タンク３に装着してから給水タンク３の運搬を行うようにしてもよい。このようにすれば、給水タンク３の運搬の途中で給水タンク３から水がこぼれることがない。
【００３０】
この給水タンク３を加湿器本体２に装着するには、給水タンク３を持ち上げてその口部の装着部材４を下にした状態でタンク装着部２３とつき合わせ、第１嵌合Ａ部４５と第２嵌合Ａ部２５が互いに嵌合すると共に第１嵌合Ｂ部４６と第２嵌合Ｂ部２６とが互いに嵌合するように装着部材４をタンク装着部２３上に載置する。このとき、第１嵌合Ａ部４５、第２嵌合Ａ部２５、第１嵌合Ｂ部４６及び第２嵌合Ｂ部２６がそれぞれ円筒状に形成されているので、装着部材４がタンク装着部２３に正確に載置されていないと、給水タンク３が倒れてきたりしてすぐわかる。その結果、給水タンク３を確実に加湿器本体２に立設した状態で装着することができる。
【００３１】
この給水タンク３を装着すると、弁体駆動部２７の先端部に弁棒５１のフランジ部５５が当接して弁棒５１が給水タンク３内に没入する方向に移動し、給水口４４から弁体５２が離間して給水口４４が開放される。この給水口４４から給水タンク３内の水が水供給路４３を通って水貯留槽２４に流れる。水貯留槽２４内の水量が所定量になると、連通孔を介して水貯留槽２４内の水が加熱槽に溢流して、加熱槽と水貯留槽との水位が所定の水位になると、給水タンク３からの水の流出が止まる。
【００３２】
そして、リセットスイッチである電源スイッチ１８を作動させてヒータにより加熱槽内の水を加熱すると、その水の一部が蒸発して蒸気となって蒸気供給路を介して噴出口２９から加湿器本体２外に噴出され、室内の空気の加湿が行われる。このとき、芳香剤収容部１３に芳香剤が収容されていると、蒸気の一部が連通孔１４を介して芳香剤収容部１３に流入し、この蒸気によって芳香剤による芳香が芳香剤噴出口１６から加湿器本体２外に送出され行われる。その結果、空気の加湿と共に芳香剤による芳香も漂わせる行える。
【００３３】
また、加熱槽内の水が蒸発すると、蒸発した水量分の水が連通孔を介して水貯留槽２４から溢流すると共に、この水貯留槽２４に加熱槽に流れた量の水すなわち少なくなった量の水が給水タンク３から流れるので、給水タンク３内の水がなくなるまで、連続して加湿を行える。給水タンク３の水がなくなったら、給水タンク３を加湿器本体２から取り外して、口部を上に向けた状態で口部から装着部材４を取り外すことによって、給水タンク３の水の補給を行える。
【００３４】
この給水タンク３を加湿器本体２に装着するための装着部材４のタンク取付部４１すなわち螺合部４１ａが、ペットボトル等の飲料用容器の口部が螺合して取り付けられる大きさに形成されているので、例えば、図５及び図６に示すように、ペットボトル３５、３６を給水タンク３として加湿器本体２に装着することができる。このとき、螺合部４１の径が異なる装着部材４が２つ以上備えられているので、ペットボトル３５、３６の口部の径にあった装着部材４を選択して口部に取り付けることにより、口部の径が異なるペットボトル３５、３６を給水タンク３として利用することができる。すなわち、市販されている様々な形状，大きさのペットボトル３５、３６を給水タンク３として利用することができる。
【００３５】
また、装着部材４は、例えば重り８等が設けられて給水タンク３が倒れ難い重量で形成されているために、装着部材４をタンク装着部２３に載置してペットボトル３５、３６や給水タンク３が立設した状態で加湿器本体２に装着されたとき、ペットボトル３５、３６や給水タンク３が倒れ難い。このため、給水タンク３に装着部材４を螺合して取り付け、この装着部材４をタンク装着部２３に載置するだけで、給水タンク３の加湿器本体２への取り付けを行えるので、給水タンク３の装着が容易になる。すなわち、給水タンク３としてペットボトル３５、３６を利用する場合、ペットボトル３５、３６のボディの形状は１種類だけではなく２種類以上でその大きさも異なるものが市販されているために、ペットボトル３５、３６の倒れを防止するガイド部材を設ける加湿器の場合には、ペットボトル３５、３６の形状に合ったガイド部材を選択して、この選択したガイド部材を加湿器本体に取り付ける作業を必要としたが、本考案に係る加湿器ではそのガイド部材の選択及び取付を不要にすることができ、かつ、ガイド部材を保管する必要もない。また、装着部材４の重量が重いと、ペットボトル３５、３６や給水タンク３を立設状態でがたつくことなく安定して保持することができる。
【００３６】
このように、本考案に係る加湿器１は、装着部材４がペットボトル３５、３６や給水タンク３が倒れ難い重量で形成されているために、ペットボトル３５、３６や給水タンク３に装着部材４を取り付け、この装着部材４を介してペットボトル３５、３６や給水タンク３をタンク装着部２３に載置するだけで、ペットボトル３５、３６や給水タンク３の加湿器本体２への装着を行えるので、ペットボトル３５、３６や給水タンク３の装着を容易に行える。また、装着部材４のタンク取付部４１の螺合部４１ａがペットボトル３５、３６等の飲料用容器の口部を取り付け得る形状に形成されているので、給水タンク３として飲料用容器例えばペットボトル３５、３６を利用することができる。従って、本考案に係る加湿器１は、給水タンク３の装着が容易に行えると共に少ない部品点数でペットボトル３５、３６やを給水タンク３として利用することができる。
【図面の簡単な説明】
【００３７】
【図１】本考案に係る加湿器の一例を示す斜視図である。
【図２】本考案に係る加湿器の一例であって給水タンクを取り外した状態を示す斜視図である。
【図３】本考案に係る装着部材の一例を示す一部断面斜視図である。
【図４】本考案に係る芳香剤収容部の一例を示す斜視図である。
【図５】本考案に係る加湿器の一例であってペットボトルを給水タンクとして装着している状態を示す斜視図である。
【図６】本考案に係る加湿器の一例であってペットボトルを給水タンクとして装着している状態を示す斜視図である。
【符号の説明】
【００３８】
１    加湿器
２    加湿器本体
３    給水タンク
４    装着部材
１１  鏡
１３  芳香剤収容部
２３  タンク装着部
４１  タンク取付部
【図１】
0003119541.tif 000003
【図２】
0003119541.tif 000004
【図３】
0003119541.tif 000005
【図４】
0003119541.tif 000006
【図５】
0003119541.tif 000007
【図６】
0003119541.tif 000008